(57)【要約】【課題】スティック状化粧品繰出し容器の携帯カバーケースを提供する。【解決手段】スティック状化粧品繰出し容器（Ｍ）へ被覆状態に套嵌されるカバーケース（Ｃ）であって、繰出し容器よりも太く背高いカバーケース本体（１０）と、そのカバーケース本体の下端部へ着脱自在に組み付けられた底蓋（１１）とから成り、繰出し容器における嵌合部材（３）の太さ変化を吸収して、その嵌合部材の外周面に常時喰い付くことができる弾性パッド（１８）を、底蓋の内周面へ一体的にライニングすることにより、繰出し容器の嵌合部材へ下方から抜き差し自在に差し込み套嵌させた底蓋を、繰出し容器の筒部材（１）へ上方から差し込み套嵌させたカバーケース本体の抜き取り後、筒部材との相対的に回動操作すれば、底蓋と繰出し容器の嵌合部材とが一体的に回動作用し、化粧品が中皿部材（５）の進退移動を介して、上記筒部材の開口上端部から出没する。【選択図】図１３
0003172551.tif 000002
【実用新案登録請求の範囲】
【請求項１】
口紅やリップクリーム、ファンデーション、その他のスティック状化粧品を収納する容器本体になる筒部材と、その内部の化粧品を支持する中皿部材と、上記筒部材の下端部へ回動自在に組み付けられた嵌合部材と、その嵌合部材と上記筒部材とを相対的に回動操作することにより、上記中皿部材を上下方向へ直線的に進退移動させて、その支持した化粧品を上記筒部材の開口上端部から出没させる運動機構とから成るスティック状化粧品繰出し容器へ、その全体的な被覆状態に差し込み套嵌される特別の携帯カバーケースであって、
上記化粧品繰出し容器よりも太く背高い断面ほぼ倒立Ｕ字形のカバーケース本体と、そのカバーケース本体の下端部へ着脱自在に組み付けられた断面ほぼＵ字形の底蓋とから成り、
上記カバーケース本体の頂面又は胴面にストラップやキーホルダーなどの係止用吊り環を設置する一方、上記化粧品繰出し容器における嵌合部材の太さ変化を吸収して、その嵌合部材の外周面に常時喰い付くことができる弾性パッドを、上記底蓋の内周面へ一体的にライニングすることにより、
上記化粧品繰出し容器の嵌合部材へ下方から抜き差し自在に差し込み套嵌させた底蓋を、同じく化粧品繰出し容器の筒部材へ上方から差し込み套嵌させたカバーケース本体の抜き取り後、その筒部材との相対的に回動操作すれば、その底蓋と上記化粧品繰出し容器の嵌合部材とが一体的に回動作用し、その化粧品が上記中皿部材の進退移動を介して、上記筒部材の開口上端部から出没することを特徴とするスティック状化粧品繰出し容器の携帯カバーケース。
【請求項２】
各種図柄模様がカラープリントされた装飾シートを、カバーケース本体の胴面へ巻き付け状態に接着する一方、その底蓋の外周面に回動操作手の指先滑り止め用凹凸を付与したことを特徴とする請求項１記載のスティック状化粧品繰出し容器の携帯カバーケース。
【請求項３】
弾性パッドを軟質の合成樹脂やゴム、合成樹脂エラストマー、その他の弾性変形可能な材料から、平面視のリング形又は断面ほぼＵ字形に作成して、底蓋の内部へ嵌め付け状態に圧入又は／及び接着したことを特徴とする請求項１記載のスティック状化粧品繰出し容器の携帯カバーケース。
【請求項４】
弾性パッドの内周面から多数の縦リブを、その底蓋の溝底面へ行く程徐々に大きく内向きに張り出す傾斜状態として列設したことを特徴とする請求項３記載のスティック状化粧品繰出し容器の携帯カバーケース。
【請求項５】
弾性パッドの内周面を、その底蓋の溝底面へ行く程口径が順次に又は徐々に小さくなる階段形態に造形したことを特徴とする請求項３記載のスティック状化粧品繰出し容器の携帯カバーケース。
【請求項６】
弾性パッドの内周面を、その底蓋の溝底面へ行く程徐々に大きく内向きに張り出す傾斜面として造形すると共に、その傾斜面の一部又は全体を凹凸粗面化したことを特徴とする請求項３記載のスティック状化粧品繰出し容器の携帯カバーケース。
【考案の詳細な説明】
【技術分野】
【０００１】
本考案は口紅やリップクリーム、アイシャドウ、ファンデーション、マスカラ、その他のスティック状に成形された各種化粧品の繰出し容器を、バッグやポシェット、衣服のベルト、携帯電話器などの装飾用アクセサリーとして、且つ何時・何処でも即座に使える便利な携帯カバーケースに関する。
【背景技術】
【０００２】
一般に、スティック状化粧品を収納する容器本体になる筒部材と、その内部の化粧品を支持する中皿部材と、上記筒部材の下端部に取り付けられた回動可能な嵌合部材と、同じく筒部材の上端部を被覆するキャップ部材とから成り、そのキャップ部材を取りはずしてから、上記筒部材と嵌合部材とを相対的に回動操作すると、上記中皿部材が上下方向へ直線的に進退移動して、その筒部材の開口上端部から化粧品が出没することになるスティック状化粧品の繰出し容器は周知であり、その太さ（直径）の若干異なる数品種が市販されている。
【０００３】
そして、このような化粧品繰出し容器はハンドバッグやポシェットなどに入れて、携帯されている通例であるが、化粧直しするたび毎に、これを一々バッグやポシェットなどの中からすばやく探し出すことは困難であり、甚だ煩らわしい。そのバッグやポシェットなどの内部において、繰出し容器のキャップ部材が不慮にはずれてしまうおそれもある。その対策となる携帯用ストラップの取付け部（フックや取手）を設置した考案が、特許文献１、２に開示されている。
【０００４】
他方、特許文献３〜５には上記スティック状化粧品の繰出し容器が具備しているキャップ部材を省略し、その代りになる断面倒立Ｕ字形の外筒部材と断面Ｕ字形の袴部材とから成る別個な包装容器を、上記化粧品繰出し容器へ言わば二重の被覆状態に套嵌させた発明が開示されている。
【０００５】
これらの公知発明では、包装容器側の外筒部材を取りはずした後、その包装容器側の袴部材と上記化粧品繰出し容器側の筒部材とを相対的に回動操作すれば、その袴部材と化粧品繰出し容器側の嵌合部材とが一体的に回動作用して、その化粧品繰出し容器に収納されている化粧品を、やはり筒部材の開口上端部から出没させることができるようになっている。
【先行技術文献】
【特許文献】
【０００６】
【特許文献１】実用新案登録第３１３５６５８号公報
【特許文献２】実用新案登録第３１１８８３０号公報
【特許文献３】特開平９−３７８４５号公報
【特許文献４】特開平１０−１１６号公報
【特許文献５】特開平１０−１４６５４号公報
【考案の概要】
【考案が解決しようとする課題】
【０００７】
ところが、上記特許文献１、２に開示されている化粧品繰出し容器は、口紅やリップクリームなどを収納した言わば市販品自身のキャップ部材に、携帯用ストラップの取付け部（フックや取手）を直かに設置（キャップ部材と一体成形）したものであり、その市販品や被覆状態に套嵌させて携帯するための別個なカバーケースではなく、ましてバッグやポシェット、携帯電話器などのアクセサリーとして有益な装飾効果を与える特別のカバーケースではあり得ない。
【０００８】
そのため、市販品である化粧品繰出し容器のメーカーにおいて、その容器本体のキャップ部材が携帯用ストラップの取付け部（フックや取手）を具備する特殊品として製造するほかなく、需要者にとっても各種の市販品を制約なく被覆化粧して、汎用的に携帯使用することができず、未だ不便である。
【０００９】
この点、特許文献２に記載された化粧品繰出し容器のように、たとえ容器本体とキャップ部材とが容易に離脱しない特殊な嵌合構造を採用したとしても、上記問題を生じることに変りはない。
【００１０】
他方、特許文献３〜５に記載された公知発明の場合、化粧品繰出し容器（市販品）へ別個な包装容器を被覆状態に套嵌させるようになっているとしても、その特別の包装容器はバッグやポシェット、衣服のベルト、携帯電話器などに取り付けて携帯したり、これらのアクセサリーとして興趣に富む装飾効果を与えたりするカバーケースではない。
【００１１】
又、同じく特許文献３〜５に記載の公知発明では、化粧品繰出し容器（市販品）側の筒部材とこれを被覆する別個な包装容器側の袴部材とを相対的に回動すると、その袴部材と上記化粧品繰出し容器（市販品）側の嵌合部材とが一緒に回動作用し、化粧品繰出し容器（市販品）自身の口紅やリップクリームなどの化粧品を、その上記筒部材の開口上端部から出没させることができるようになっているが、上記袴部材と嵌合部材とが回動作用する根拠としては、特許文献３の段落〔０００９〕に「・・・ハカマ部材本体（１４）と、このハカマ部材本体（１４）内に下端部が挿入され、前記口紅収納容器本体（１）の嵌合部（２ａ）と固定され・・・」と説明されているに過ぎず、又特許文献４の段落〔００１０〕に「・・・このハカマ部材（１２）の内底面には前記口紅等の収納容器体（１）の嵌合部材（５）が嵌合固定される嵌合部（１３）が形成され・・・」と説明されているにとどまり、茲に「嵌合固定」される具体的な構成は不明である。
【００１２】
更に言えば、化粧品繰出し容器（市販品）側の嵌合部材とこれに被覆する別個な包装容器側の袴部材とが、仮りに「嵌合固定」されているとしても、それはその化粧品繰出し容器（市販品）における嵌合部材の一定太さ（直径）に限っての専用的・個性的な嵌合構造を意味し、その嵌合部材の太さ（直径）が化粧品繰出し容器（市販品）毎に相違変化しても、常時確実に嵌合し得る趣旨の汎用性・対応性に富む構造までは一切記載されておらず、その構造を当業者にとって予測することも到底不可能である。
【課題を解決するための手段】
【００１３】
本考案はこのような諸問題の改良を目的としており、その目的を達成するために、請求項１では口紅やリップクリーム、ファンデーション、その他のスティック状化粧品を収納する容器本体になる筒部材と、その内部の化粧品を支持する中皿部材と、上記筒部材の下端部へ回動自在に組み付けられた嵌合部材と、その嵌合部材と上記筒部材とを相対的に回動操作することにより、上記中皿部材を上下方向へ直線的に進退移動させて、その支持した化粧品を上記筒部材の開口上端部から出没させる運動機構とから成るスティック状化粧品繰出し容器へ、その全体的な被覆状態に差し込み套嵌される特別の携帯カバーケースであって、
【００１４】
上記化粧品繰出し容器よりも太く背高い断面ほぼ倒立Ｕ字形のカバーケース本体と、そのカバーケース本体の下端部へ着脱自在に組み付けられた断面ほぼＵ字形の底蓋とから成り、
【００１５】
上記カバーケース本体の頂面又は胴面にストラップやキーホルダーなどの係止用吊り環を設置する一方、上記化粧品繰出し容器における嵌合部材の太さ変化を吸収して、その嵌合部材の外周面に常時喰い付くことができる弾性パッドを、上記底蓋の内周面へ一体的にライニングすることにより、
【００１６】
上記化粧品繰出し容器の嵌合部材へ下方から抜き差し自在に差し込み套嵌させた底蓋を、同じく化粧品繰出し容器の筒部材へ上方から差し込み套嵌させたカバーケース本体の抜き取り後、その筒部材との相対的に回動操作すれば、その底蓋と上記化粧品繰出し容器の嵌合部材とが一体的に回動作用し、その化粧品が上記中皿部材の進退移動を介して、上記筒部材の開口上端部から出没することを特徴とする。
【００１７】
又、請求項２では各種図柄模様がカラープリントされた装飾シートを、カバーケース本体の胴面へ巻き付け状態に接着する一方、その底蓋の外周面に回動操作手の指先滑り止め用凹凸を付与したことを特徴とする。
【００１８】
請求項３では弾性パッドを軟質の合成樹脂やゴム、合成樹脂エラストマー、その他の弾性変形可能な材料から、平面視のリング形又は断面ほぼＵ字形に作成して、底蓋の内部へ嵌め付け状態に圧入又は／及び接着したことを特徴とする。
【００１９】
請求項４では弾性パッドの内周面から多数の縦リブを、その底蓋の溝底面へ行く程徐々に大きく内向きに張り出す傾斜状態として列設したことを特徴とする。
【００２０】
請求項５では弾性パッドの内周面を、その底蓋の溝底面へ行く程口径が順次に又は徐々に小さくなる階段形態に造形したことを特徴とする。
【００２１】
更に、請求項６では弾性パッドの内周面を、その底蓋の溝底面へ行く程徐々に大きく内向きに張り出す傾斜面として造形すると共に、その傾斜面の一部又は全体を凹凸粗面化したことを特徴とする。
【考案の効果】
【００２２】
請求項１の構成ではスティック状化粧品繰出し容器の全体を携帯カバーケースによって被覆した上、そのカバーケース本体の吊り環へ係止させたストラップやキーホルダーなどの吊り用具により、手提げ鞄や携帯電話器、ハンドバッグ、ポシェットなどの装飾用アクセサリーとして、便利良く吊り下げて携帯することができる。
【００２３】
その場合、携帯カバーケースのカバーケース本体とその底蓋とは、回動操作しない限り分解しない組み付け状態にあるため、その内部から化粧品繰出し容器の不慮に脱落してしまうおそれはなく、アクセサリーとしての装飾効果を維持し得るのである。
【００２４】
そして、上記吊り下げ状態の携帯中に、その携帯カバーケースのカバーケース本体に対して、底蓋を回動させることにより取りはずし、下方へ引き抜けば、その底蓋の嵌合した付属状態にある化粧品繰出し容器が、携帯カバーケースのカバーケース本体から外部へ露出するので、片手の指先で化粧品繰出し容器側の筒部材を把持する一方、残る片手の指先で携帯カバーケース側の底蓋を把持して、その筒部材と底蓋とを相対的に回動操作することにより、口紅やリップクリームなどのスティック状化粧品での化粧直しを何時・何処でもすばやく行える効果がある。
【００２５】
上記携帯カバーケース側の底蓋は化粧品繰出し容器側の嵌合部材へ下方から差し込み套嵌されており、その底蓋と嵌合部材とが弾性パッドを介して一体的に回動作用し、化粧品を支持している中皿部材が直線的に移動して、化粧品繰出し容器における筒部材の開口上端部から上記化粧品が露出することになるからであり、利便性に優れる。
【００２６】
その場合、請求項２の構成を採用するならば、携帯カバーケースによる装飾アクセサリーとしての効果と、底蓋の回動操作性とがますます向上する。
【００２７】
請求項３〜６の各構成を採用するならば、その何れも底蓋の内周面へ一体的にライニングされた弾性パッドの性質と形状により、各種化粧品繰出し容器における嵌合部材の太さ（直径）変化を自づと吸収して、その嵌合部材への喰い付き摩擦力により一緒に回動作用させることができるのであり、空転防止と汎用性の向上に役立つ。
【図面の簡単な説明】
【００２８】
【図１】スティック状化粧品繰出し容器の組立状態を示す断面図である。
【図２】図１の２−２線断面図である。
【図３】本考案の携帯カバーケースを分解した半欠截断面図である。
【図４】同じく組立状態を示す断面図である。
【図５】図４の５−５線拡大断面図である。
【図６】カバーケース本体とその底蓋とのネジ締結状態を示す図４に対応する変形実施形態の断面図である。
【図７】図３に対応する底蓋だけの第１変形実施形態を示す半欠截断面図である。
【図８】図３に対応する底蓋だけの第２変形実施形態を示す半欠截断面図である。
【図９】図３に対応する底蓋だけの第３変形実施形態を示す半欠截断面図である。
【図１０】図３に対応する底蓋だけの第４変形実施形態を示す半欠截断面図である。
【図１１】図３に対応する底蓋だけの第５変形実施形態を示す半欠截断面図である。
【図１２】化粧品繰出し容器へ携帯カバーケースの底蓋だけを差し込み套嵌させた状態の断面図である。
【図１３】図１２の化粧品繰出し容器へ上方からカバーケース本体もかぶせ付けた組立状態の断面図である。
【図１４】本考案の携帯使用例を示す斜面図である。
【図１５】化粧品繰出し容器から化粧品を繰り出した使用状態を示す図１２に対応する断面図である。
【考案を実施するための形態】
【００２９】
以下、図面に基いて本考案の実施形態を具体的に詳述すると、図１、２は本考案の適用対象になる公知の典型的なスティック状化粧品繰出し容器（Ｍ）を示しており、（１）はその口紅やリップクリーム、ファンデーションなどのスティック状に成形された化粧品（２）を収納する容器本体としての筒部材、（３）はその筒部材（１）の下端部へ回動自在に組み付けられた嵌合部材であり、これからは上記筒部材（１）の長手中心線（Ｙ−Ｙ）に沿って、１本の螺旋軸（４）が上向き一体的に垂立されている。
【００３０】
又、（５）は上記固形の化粧品（２）を下方から支持すべく、その筒部材（１）の内部に嵌合された中皿部材であって、上記嵌合部材（３）の螺旋軸（４）と常時螺合した状態に保たれている。その場合、中皿部材（５）の円形外周面と上記筒部材（１）の円形内周面との相互間において、その何れか一方から張り出されたキー凸条（６）と、残る他方に切り欠かれた対応的なキー凹条（７）とが嵌合状態を保つことにより、上記中皿部材（５）は螺旋軸（４）との一体的に回動せず（連れ廻らず）、その螺旋軸（４）や筒部材（１）の長手中心線（Ｙ−Ｙ）に沿って、上下方向へ直線的な進退移動のみを行うようになっている。
【００３１】
つまり、使用者が例えば口紅やリップクリームなどの化粧品（２）によるリップの化粧を行う時に、上記嵌合部材（３）を片手の指先で把持しつつ、筒部材（１）との相対的に回動操作すれば良い。そうすれば、その筒部材（１）内の化粧品（２）を支持している中皿部材（５）が、筒部材（１）や嵌合部材（３）の螺旋軸（４）に沿って上方へ直線的に螺進し、その筒部材（１）の開口上端部から化粧品（２）を希望する調整量だけ繰り出すことができる。
【００３２】
そして、上記嵌合部材（３）の螺旋軸（４）を上記と逆な方向へ回動操作すれば、化粧品（２）を支持している中皿部材（５）が下方へ直線的に螺退するため、その化粧品（２）を筒部材（１）の開口上端部から没入させることができ、その収納状態に保てるのである。（８）は上記筒部材（１）や螺旋軸（４）の長手中心線（Ｙ−Ｙ）に沿う平行な直線形態として、上記嵌合部材（３）の外周面に列設された多数の凹凸条（所謂ローレット刻み目）であり、その嵌合部材（３）を回動操作する片手の指先滑り止め用となる。
【００３３】
その場合、本考案の図示実施形態では後述する携帯カバーケースのカバーケース本体によって、上記化粧品繰出し容器（Ｍ）における筒部材（１）の開口上端部を被覆し得るようになっているため、その化粧品繰出し容器（Ｍ）のキャップ部材を省略しているが、そのキャップ部材（９）を上記化粧品繰出し容器（Ｍ）の筒部材（１）へ、上方から抜き差し自在に差し込み套嵌させても良い。
【００３４】
尚、図示の実施形態では上記筒部材（１）の嵌合部材（３）から１本の螺旋軸（４）を上向き一体的に垂立させているが、要するに嵌合部材（３）の回動操作を上記中皿部材（５）の直線的な進退移動作用に変換できる運動機構である限り、その螺旋軸（４）の設置を省略して、これに代るものを採用してもさしつかえない。
【００３５】
次に、本考案の携帯カバーケース（Ｃ）は公知の各種化粧品繰出し容器（Ｍ）を携帯するために、その繰出し容器（Ｍ）へ全体的な被覆状態に差し込み套嵌使用される合成樹脂製品であって、上記化粧品繰出し容器（Ｍ）よりも太く背高い（長い）断面ほぼ倒立Ｕ字形のカバーケース本体（１０）と、そのカバーケース本体（１０）の下端部へ着脱自在に組み付けられた断面ほぼＵ字形の底蓋（１１）とから成り、図３〜５のような内部の連通する全体的な円筒体をなす。
【００３６】
その場合、図示の実施形態ではカバーケース本体（１０）とその底蓋（１１）との着脱可能な組み付け構造として、底蓋（１１）の上端部外周面を段付き状態に切り欠くことにより、薄肉の径小な差込み口筒部（１２）を設ける一方、カバーケース本体（１０）の下端部内周面を対応的な段付き状態に切り欠くことにより、薄肉の径大な受け入れ口筒部（１３）を設けている。
【００３７】
しかも、上記カバーケース本体（１０）側の径大な受け入れ口筒部（１３）から放射対称分布型として、内向きに突出させた複数のキー凸子（１４）と、上記底蓋（１１）側の径小な差込み口筒部（１２）にほぼＬ字形として切り欠いた対応的な複数のキー溝（１５）とを、上記差込み口筒部（１２）と受け入れ口筒部（１３）との差し込み嵌合後、相対的に回動操作して、上記キー凸子（１４）をそのＬ字形に開口するキー溝（１５）の入口部から内奥部へ進入させることにより、上記カバーケース本体（１０）とその底蓋（１１）とを不慮に離脱しない安定な固定状態に保っている。
【００３８】
但し、カバーケース本体（１０）とその底蓋（１１）との組み付け状態が携帯中、不慮に分解されてしまうおそれがなければ、その組み付け構造としては図３〜５のような所謂バイオネットロック機構だけに限らず、例えば図６のようなカバーケース本体（１０）側の雌ネジ（１４ａ）と底蓋（１１）側の雄ネジ（１５ａ）との螺合締結や、その他の適当な構造を採用することができる。
【００３９】
何れにしても、上記携帯カバーケース（Ｃ）を形作るカバーケース本体（１０）の頂面には、ストラップやキーホルダーなどの吊り用具（１６）を係脱自在に係止する吊り環（１７）が、そのカバーケース本体（１０）と一体のアーチ状に張り出し形成されている。このような機能を果す吊り環（１７）はカバーケース本体（１０）の頂面に代えて又は加えて、その胴面に形成しても良い。
【００４０】
他方、上記携帯カバーケース（Ｃ）の底蓋（１１）は硬質な合成樹脂、特に好ましくはカバーケース本体（１０）と同じ硬質な熱可塑性樹脂（例えばＡＢＳ樹脂やポリエチレン樹脂、ポリプロピレン樹脂など）から成形されているが、その断面ほぼＵ字形の内部には弾性パッド（１８）が一体的にライニングされており、上記化粧品繰出し容器（Ｍ）における嵌合部材（３）の太さ（直径）（Ｄ）がその繰出し容器（Ｍ）の製造メーカー毎や品種毎に一定せず、相違変化していても、その太さ（直径）（Ｄ）の変化を弾性パッド（１８）の性質と形状により自づと吸収し、その弾性パッド（１８）が上記嵌合部材（３）の外周面へ常時喰い付く摩擦力により、上記底蓋（１１）と嵌合部材（３）とを一緒に回動作用させることができるようになっている。
【００４１】
つまり、弾性パッド（１８）は軟質の合成樹脂やゴム、合成樹脂エラストマー、その他の弾性変形し得る材料から、上記底蓋（１１）と相似な断面ほぼＵ字形に成形されており、その底蓋（１１）の断面ほぼＵ字形をなす内部へ嵌め付け状態に圧入されている。その圧入に代えて又は加えて、接着剤などにより固着一体化しても良い。
【００４２】
しかも、その断面ほぼＵ字形をなす弾性パッド（１８）の内周面（１８ａ）からは図３〜５のように、多数の縦リブ（１９）が底蓋（１１）の溝底面（下方）へ行く程、徐々に大きく内向きに張り出す傾斜状態として列設されており、上記弾性パッド（１８）の弾性変形作用やその復元力と、その傾斜状態にある縦リブ（１９）の摩擦力（接触面積の増大）とが協働して、上記化粧品繰出し容器（Ｍ）における嵌合部材（３）の太さ（直径）（Ｄ）変化を吸収し、その嵌合部材（３）を携帯カバーケース（Ｃ）側の底蓋（１１）によって、一緒にロスなく回動させることができるようになっている。
【００４３】
但し、図３と対応する弾性パッド（１８）の第１、２変形実施形態を示す図７、８から明白なように、その弾性パッド（１８）の内周面をやはり底蓋（１１）の溝底面（下方）へ行く程、口径（Ｓ）が順次に又は徐々に小さくなる階段形態（２０ａ）（２０ｂ）（２０ｃ）に造形して、その口径（Ｓ）の段階的又は滑らかな変化と弾性パッド（１８）自身の弾性変形により、上記嵌合部材（３）の外周面へ常に喰い付く摩擦力を発揮させ、その嵌合部材（３）と上記底蓋（１１）とが一緒に回動作用し得るように定めても良い。
【００４４】
又、図３と対応する弾性パッド（１８）の第３、４変形実施形態を示す図９、１０のように、その弾性パッド（１８）の内周面を底蓋（１１）の溝底面（下方）へ行く程、徐々に大きく内向きに張り出す傾斜面（２１）として造形すると共に、その傾斜面（２１）の一部又は全体を格子模様のように交叉する直線リブ（２２）や梨地模様のように分布するドット（２３）などの付与によって、規則的又は不規則的に凹凸粗面化し、これらの接触面積が増大した摩擦力と、弾性パッド（１８）自身の弾性変形やその復元力により、上記嵌合部材（３）と底蓋（１１）とが一緒に回動作用し得るように定めても良い。
【００４５】
上記弾性パッド（１８）の基本実施形態とその第１〜４変形実施形態を示した図７〜１０では、その弾性パッド（１８）を携帯カバーケース（Ｃ）における底蓋（１１）の断面ほぼＵ字形と対応して、その内部へ嵌め付け得る大きさの相似な断面ほぼＵ字形に造形しているが、これを図１１の第５変形実施形態に例示する如く、その底面だけが無い平面視のリング形（正面視の円筒形）に造形して、上記断面ほぼＵ字形をなす底蓋（１１）の内周面へ嵌め付け状態に圧入又は／及び接着すると共に、このようなリング形弾性パッド（１８）の内周面を、図３〜１０と同様な特殊形状に構成してもさしつかえない。
【００４６】
更に、携帯カバーケース（Ｃ）を形作る底蓋（１１）の外周面には、上記化粧品繰出し容器（Ｍ）における嵌合部材（３）の外周面と実質的に同じ多数の平行な凹凸条（所謂ローレット刻み目）や、その他の回動操作手の指先滑り止め用となる凹凸（２４）を付与することが好ましい。
【００４７】
又、底蓋（１１）や上記カバーケース本体（１０）へ互いに異なる着色カラーを与えたり、予じめ各種の図柄模様がカラープリントされた装飾シート（２５）を、そのカバーケース本体（１０）の胴面へ巻き付け状態に接着したり、更にはカバーケース本体（１０）の全体へ縫い包みやその他の柔軟な被服（図示省略）を装着したりして、その携帯カバーケース（Ｃ）の装飾効果を向上させることが望ましい。
【００４８】
化粧品繰出し容器（Ｍ）の使用者が、このような各種の装飾シート（２５）や被服などを選択して、上記カバーケース本体（１０）の胴面へ貼り替えたり、着せ替えたりすることにより、その装飾効果の興趣変化を得られるように定めることも考えられる。
【００４９】
上記構成を備えた本考案の携帯カバーケース（Ｃ）は、その底蓋（１１）を市販されている公知の各種化粧品繰出し容器（Ｍ）へ、図１２のように下方から差し込み套嵌させると共に、その化粧品繰出し容器（Ｍ）の嵌合部材（３）と嵌合した付属状態にある上記底蓋（１１）へ、図１３のように上方からカバーケース本体（１０）を着脱自在に組み付けて、その携帯カバーケース（Ｃ）により化粧品繰出し容器（Ｍ）の全体を被覆した後、そのカバーケース本体（１０）の吊り環（１７）へ係止させた適当な長さのストラップやキーホルダーなどの吊り用具（１６）により、女学生の手提げ鞄や携帯電話器、ハンドバッグ、ポシェットなどの装飾用アクセサリーとして、図１４のように吊り下げて携帯使用すれば良い。
【００５０】
その携帯中、携帯カバーケース（Ｃ）のカバーケース本体（１０）とその底蓋（１１）とは、回動操作しない限り分解しない組み付け状態にあるため、その内部から化粧品繰出し容器（Ｍ）が不慮に離脱してしまうおそれはない。
【００５１】
そして、化粧品繰出し容器（Ｍ）を用いて化粧直しする場合には、上記吊り用具（１６）での吊り下げ状態にある携帯カバーケース（Ｃ）のカバーケース本体（１０）に対して、その底蓋（１１）を回動させることにより取りはずし、下方へ引き抜けば、その底蓋（１１）の嵌合した付属状態にある上記化粧品繰出し容器（Ｍ）が、携帯カバーケース（Ｃ）のカバーケース本体（１０）から図１２のように外部へ露出する。
【００５２】
そこで、上記化粧品繰出し容器（Ｍ）がキャップ部材（８）を具備している場合には、そのキャップ部材（９）を筒部材（１）から取りはずし、キャップ部材（９）の設置が省略されている場合には、その化粧品繰出し容器（Ｍ）をそのままの状態とし、何れにしてもその後片手（例えば左手）の指先で化粧品繰出し容器（Ｍ）側の筒部材（１）を把持する一方、残る片手（例えば右手）の指先で携帯カバーケース（Ｃ）側の底蓋（１１）を把持して、その筒部材（１）と底蓋（１１）とを相対的に回動操作する。
【００５３】
そうすれば、携帯カバーケース（Ｃ）側の底蓋（１１）と化粧品繰出し容器（Ｍ）側の嵌合部材（３）とが、その底蓋（１１）の弾性パッド（１８）を介して一体的に回動作用し、上記筒部材（１）内の化粧品（２）を支持している中皿部材（５）が、直線的に進退移動するため、その化粧品繰出し容器（Ｍ）における筒部材（１）の開口上端部から図１５のように、化粧品（２）が露出することになる結果、その化粧品（２）での化粧を何時・何処でも支障なく行えるのである。
【００５４】
又、その場合携帯カバーケース（Ｃ）側の底蓋（１１）は化粧品繰出し容器（Ｍ）側の嵌合部材（３）へ、下方から差し込み套嵌された付属状態にあるため、その底蓋（１１）を化粧品繰出し容器（Ｍ）の言わば接地スタンドとして、洗面台やその他のテーブル面へ安定良く据え立てることもでき、使用上の利便性に優れる。
【００５５】
上記化粧直しを終えたならば、その化粧品繰出し容器（Ｍ）側の嵌合部材（３）と嵌合した付属状態にある底蓋（１１）へ、図１３のように上方から携帯カバーケース（Ｃ）のカバーケース本体（１０）を組み付けることにより、その化粧品繰出し容器（Ｍ）を全体的な被覆状態に復元して、引き続き携帯すれば良い。
【００５６】
尚、化粧品繰出し容器（Ｍ）の嵌合部材（３）は携帯カバーケース（Ｃ）の底蓋（１１）から抜き出すこともできるようになっているため、その化粧品繰出し容器（Ｍ）の嵌合部材（３）を従来通りに回動操作して、その単独使用による化粧を行えることは言うまでもない。
【符号の説明】
【００５７】
（１）・筒部材
（２）・化粧品
（３）・嵌合部材
（４）・螺旋軸
（５）・中皿部材
（６）・キー凸条
（７）・キー凹条
（８）・凹凸条
（９）・キャップ部材
（１０）・カバーケース本体
（１１）・底蓋
（１２）・差込み口筒部
（１３）・受け入れ口筒部
（１４）・キー凸子
（１４ａ）・雌ネジ
（１５）・キー溝
（１５ａ）・雄ネジ
（１６）・吊り用具
（１７）・吊り環
（１８）・弾性パッド
（１８ａ）・内周面                                                              （１９）・縦リブ
（２０ａ）（２０ｂ）（２０ｃ）・内周面
（２１）・傾斜面
（２２）・直線リブ
（２３）・ドット
（２４）・凹凸
（２５）・装飾シート
（Ｃ）・携帯カバーケース
（Ｍ）・化粧品繰出し容器
（Ｄ）・嵌合部材の太さ（直径）
（Ｓ）・弾性パッドの口径
（Ｙ−Ｙ）・筒部材の長手中心線
【図１】
0003172551.tif 000003
【図２】
0003172551.tif 000004
【図３】
0003172551.tif 000005
【図４】
0003172551.tif 000006
【図５】
0003172551.tif 000007
【図６】
0003172551.tif 000008
【図７】
0003172551.tif 000009
【図８】
0003172551.tif 000010
【図９】
0003172551.tif 000011
【図１０】
0003172551.tif 000012
【図１１】
0003172551.tif 000013
【図１２】
0003172551.tif 000014
【図１３】
0003172551.tif 000015
【図１４】
0003172551.tif 000016
【図１５】
0003172551.tif 000017